(57)【要約】【課題】電気的ノイズの影響を受け難い操作装置を提供する。【解決手段】操作装置としてのタッチパッド１は、操作指が接触するパネル１０の温度を、パネル１０の操作面１１を分割した複数の素領域２０から構成される少なくとも１つの領域２に分けて測定する温度測定部５と、温度測定部５が測定した温度に基づいて少なくとも１つの領域２ごとに操作指の接触位置を算出する制御部７と、を備えて概略構成されている。この操作装置１は、電気的ノイズの影響を受け難い。【選択図】図１
2019091193.tif 000002
【特許請求の範囲】
【請求項１】
操作指が接触する操作部の温度を、前記操作部の操作面を分割した複数の素領域から構成される少なくとも１つの領域に分けて測定する温度測定部と、
前記温度測定部が測定した温度に基づいて少なくとも１つの前記領域ごとに操作指の接触位置を算出する算出部と、
を備えた操作装置。
【請求項２】
前記温度測定部は、少なくとも１つの前記領域ごとに温度を測定するための複数の温度測定素子を有する、
請求項１に記載の操作装置。
【請求項３】
前記複数の温度測定素子は、前記領域の中央を囲む複数の前記素領域に配置される、
請求項２に記載の操作装置。
【請求項４】
前記算出部は、上側の領域と下側の領域のうち、いずれの領域に操作指が位置したか判定して第１の候補領域を設定し、さらに左側の領域と右側の領域のうち、いずれの領域に当該操作指が位置したか判定して第２の候補領域を設定し、前記第１の候補領域と前記第２の候補領域とが重なる重領域を当該操作指が接触した前記接触位置であると算出する、
請求項１乃至３のいずれか１項に記載の操作装置。
【発明の詳細な説明】
【技術分野】
【０００１】
本発明は、操作装置に関する。
【背景技術】
【０００２】
従来の技術として、車両に設けられた機器の操作項目を表示する表示部と、表示部とは異なる位置に設けられて操作指の接触により操作項目を選択する静電容量式のタッチパッドと、を備えた車両の操作装置が知られている（例えば、特許文献１参照。）。
【０００３】
この操作装置は、操作指が近接した位置情報を検出し、位置情報に基づいて、表示部に、操作指の虚像を表示させる。
【先行技術文献】
【特許文献】
【０００４】
【特許文献１】特開２０１３−２５７７７５号公報
【発明の概要】
【発明が解決しようとする課題】
【０００５】
しかし従来の操作装置は、静電容量方式のタッチパッドによって操作指の位置を検出するので、車両内に発生する電気的ノイズの影響を受けて誤検出が生じる可能性がある。
【０００６】
従って本発明の目的は、電気的ノイズの影響を受け難い操作装置を提供することにある。
【課題を解決するための手段】
【０００７】
本発明の一態様は、操作指が接触する操作部の温度を、操作部の操作面を分割した複数の素領域から構成される少なくとも１つの領域に分けて測定する温度測定部と、温度測定部が測定した温度に基づいて少なくとも１つの領域ごとに操作指の接触位置を算出する算出部と、を備えた操作装置を提供する。
【発明の効果】
【０００８】
本発明によれば、電気的ノイズの影響を受け難い。
【図面の簡単な説明】
【０００９】
【図１】図１（ａ）は、実施の形態に係るタッチパッドの一例について説明するための概略図であり、図１（ｂ）は、タッチパッドのブロック図の一例である。
【図２】図２（ａ）は、実施の形態に係るタッチパッドの断面図の一例であり、図２（ｂ）は、操作指が接触していない場合のサーミスタの温度変換値の一例を示す概略図であり、図２（ｃ）は、操作指が接触している場合の温度変換値の一例を示す概略図である。
【図３】図３は、変形例に係るタッチパッドの一例について説明するための概略図である。
【図４】図４（ａ）〜図４（ｃ）は、実施の形態に係るタッチパッドの操作指の接触位置を算出する方法の一例を説明するための概略図である。
【図５】図５は、実施の形態に係るタッチパッドの動作の一例を示すフローチャートである。
【発明を実施するための形態】
【００１０】
（実施の形態の要約）
実施の形態に係る操作装置は、操作指が接触する操作部の温度を、操作部の操作面を分割した複数の素領域から構成される少なくとも１つの領域に分けて測定する温度測定部と、温度測定部が測定した温度に基づいて少なくとも１つの領域ごとに操作指の接触位置を算出する算出部と、を備えて概略構成されている。
【００１１】
この操作装置は、温度に基づいて操作指の接触位置を算出するので、静電容量方式のタッチパッドのように電気的ノイズの影響を受け易い静電容量の検出に基づいて操作位置を算出する場合と比べて、電気的ノイズの影響を受け難い。
【００１２】
[実施の形態]
（タッチパッド１の概要）
図１（ａ）は、実施の形態に係るタッチパッドの一例について説明するための概略図であり、図１（ｂ）は、タッチパッドのブロック図の一例である。図２（ａ）は、実施の形態に係るタッチパッドの断面図の一例であり、図２（ｂ）は、操作指が接触していない場合のサーミスタの温度変換値の一例を示す概略図であり、図２（ｃ）は、操作指が接触している場合の温度変換値の一例を示す概略図である。
【００１３】
図１（ａ）では、一例として、Ｘ軸に沿って並ぶ素領域２０の数を１〜Ｎで示し、Ｙ軸に沿って並ぶ素領域２０の数を１〜Ｍで示している。図１（ａ）では、一例として、領域２が２５個の素領域２０から構成され、またＸ軸及びＹ軸に沿って少なくとも１５個の素領域２０を図示している。従ってＮ及びＭは、一例として、１５以上の５の倍数である。また素領域２０は、操作面１１をＮ×Ｍ個に分割した領域である。この素領域２０の大きさは、全て同一である。なお本実施の形態の素領域２０は、一例として、正方形の領域としているがこれに限定されず、長方形や他の形状であっても良い。
【００１４】
以下では、図１（ａ）などに示すｉ、Ｎ、ｊ、Ｍを座標と同じように扱い、座標（Ｘ，Ｙ）に位置する素領域２０を、（ｉ＋１）の素領域２０や（ｊ＋１）の素領域２０などのように記載する。このｉは、５≦ｉ＜Ｎ／５＋３の範囲の整数である。またｊは、５≦ｊ＜Ｍ／５＋３の範囲の整数である。
【００１５】
なお以下に記載する実施の形態に係る各図において、図形間の比率は、実際の比率とは異なる場合がある。また図１（ｂ）では、主な信号や情報などの流れを矢印で示している。さらに数値範囲を示す「Ａ〜Ｂ」は、Ａ以上Ｂ以下の意味で用いるものとする。
【００１６】
操作装置としてのタッチパッド１は、例えば、図１（ａ）に示すように、操作がなされる操作面１１を有する操作部としてのパネル１０を有している。このタッチパッド１は、一例として、車両の運転席と助手席の間に位置するフロアコンソールなどに操作面１１が露出するように配置される。なおタッチパッド１は、一例として、フロアコンソールに限定されず、ステアリングのスポークなどに配置される。
【００１７】
タッチパッド１は、例えば、電磁気的に接続された電子機器の操作を可能に構成されている。タッチパッド１は、例えば、操作指による操作により、電子機器の表示装置に表示されたカーソルの移動、表示されたアイコンの選択、決定、ドラッグ、ドロップなどの指示を行うことができる。そしてタッチパッド１は、シングルタッチ及びマルチタッチの検出が可能となるように構成されている。なお電子機器とは、一例として、ナビゲーション装置、空調装置、音楽及び映像再生装置などである。
【００１８】
タッチパッド１は、例えば、図１（ａ）及び図１（ｂ）に示すように、操作指が接触するパネル１０の温度を、パネル１０の操作面１１を分割した複数の素領域２０から構成される少なくとも１つの領域２に分けて測定する温度測定部５と、温度測定部５が測定した温度に基づいて少なくとも１つの領域２ごとに操作指の接触位置を算出する算出部としての制御部７と、を備えて概略構成されている。
【００１９】
本実施の形態では、操作面１１は、少なくとも９つの領域２に分割されているが、これに限定されず、操作面１１を１つの領域２として素領域２０が設定されても良い。また領域２や素領域２０の数は、一例であって他の数であっても良い。
【００２０】
また本実施の形態の操作部は、例えば、図１（ａ）〜図２（ａ）に示すように、板形状を有するパネル１０であるがこれに限定されず、操作面１１が曲面であったり、平面と曲面とを組み合わせた面などであったりしても良い。
【００２１】
温度測定部５は、例えば、図１（ａ）〜図２（ａ）に示すように、少なくとも１つの領域２ごとに温度を測定するための複数の温度測定素子を有する。この複数の温度測定素子は、例えば、図１（ａ）に示すように、領域２の中央を囲む複数の素領域２０に配置されている。
【００２２】
本実施の形態の温度測定素子は、例えば、サーミスタ５０であるがこれに限定されず、温度を測定可能な熱電対などでも良い。
【００２３】
（パネル１０の構成）
パネル１０は、例えば、図１（ａ）に示すように、操作がなされる平面状の操作面１１を有している。この操作面１１は、矩形状を有している。そして操作面１１は、例えば、図１（ａ）の図面の左上を原点として横軸としてＸ軸、縦軸としてＹ軸を有するＸＹ座標系が設定されている。
【００２４】
パネル１０は、例えば、ポリカーボネートなどの樹脂材料を用いて形成されている。このパネル１０の裏面１２側には、例えば、図２（ａ）に示すように、サーミスタ５０が挿入される複数の挿入孔１２０が形成されている。
【００２５】
操作面１１は、例えば、図１（ａ）に示すように、複数の領域２に分けられている。そして領域２は、複数の素領域２０に分けられている。
【００２６】
なお変形例としてパネル１０は、樹脂材料に限定されず、アルミニウムなどの熱伝導率が高い金属材料を用いて形成されても良い。
【００２７】
（温度測定部５の構成）
温度測定部５は、複数のサーミスタ５０を備えている。このサーミスタ５０は、一例として、ＮＴＣ（Negative Temperature Coefficient）サーミスタであるがこれに限定されず、ＰＴＣ（Positive Temperature Coefficient）サーミスタやＣＴＲ（Critical Temperature Resistor）サーミスタであっても良い。ＮＴＣサーミスタは、電気的ノイズに強く、温度が上昇すると抵抗値が減少するという負の温度特性を有している。
【００２８】
サーミスタ５０は、検出した温度に応じたセンサ信号Ｓを制御部７に出力する。このセンサ信号Ｓは、負の温度特性に応じて抵抗値が減少すると増加する信号として出力される。このセンサ信号Ｓは、一例として、操作指の検出に必要な温度範囲を０〜１００の値に変換した温度変換値に変換される。図２（ａ）及び図２（ｂ）の素領域２０に示す数字は、一例として、変換された温度変換値を示し、数値が大きいほど測定された温度が高いことを示している。
【００２９】
なお配置された素領域２０を指定しないサーミスタ５０が出力するセンサ信号は、センサ信号Ｓと記載する。また（Ｍ，Ｎ−１）の素領域２０に配置されたサーミスタ５０が出力するセンサ信号は、センサ信号ＳＭ（Ｎ−１）と記載する。
【００３０】
サーミスタ５０は、例えば、図１（ａ）に示すように、領域２の中央の素領域２０を囲むように配置されている。つまりサーミスタ５０は、全ての素領域２０に配置されず、また連続的ではなく、離散的に配置されている。そしてサーミスタ５０は、例えば、図２（ｂ）に示すように、基板４に配置されている。この基板４は、例えば、プリント配線基板である。
【００３１】
サーミスタ５０は、例えば、図１（ａ）の紙面左上に示す領域２の場合、（２，１）、（４，１）、（１，２）、（５，２）、（１，４）、（５，１）、（２，５）及び（４，５）の素領域２０に配置されている。
【００３２】
ここでサーミスタ５０が配置されていない素領域２０を空領域２１とし、配置されている素領域２０を配置領域２２とする。
【００３３】
サーミスタ５０は、例えば、領域２の中央の素領域２０を円に近い形に囲むように配置されている。この領域２の中央の素領域２０は、空領域２１である。そして後述するように、制御部７は、例えば、図２（ｂ）及び図２（ｃ）の紙面において矢印で示すように、反時計回りにサーミスタ５０との接続を切り替えて領域２を走査してセンサ信号Ｓを取得する。なおサーミスタ５０は、中央の素領域２０を囲むように、領域２の四隅に配置されても良い。
【００３４】
サーミスタ５０が配置される配置領域２２は、図中で斜線を施している。この配置領域２２には、パネル１０の裏面１２側に挿入孔１２０が設けられている。サーミスタ５０は、挿入孔１２０に挿入されているので、パネル１０の裏面１２に接触するように配置される場合と比べて、操作面１１に近くなり、精度の高い温度の測定が可能となる。
【００３５】
ここで図３は、変形例に係るタッチパッドの一例について説明するための概略図である。この図３には、操作面１１の一部として、横にｉ＋１からｉ＋１３までの素領域２０と、縦にｊ＋１からｊ＋１３までの素領域２０と、が図示されている。この変形例のタッチパッド１は、一例として、図３に示すように、隣接する領域２においてサーミスタ５０を共有することで小型化されている。
【００３６】
この変形例のタッチパッド１は、例えば、図３に矢印で示すように、（ｉ＋２，ｊ＋１）、（ｉ＋１，ｊ＋２）、（ｉ＋１，ｊ＋４）、（ｉ＋２，ｊ＋５）、（ｉ＋４，ｊ＋５）、（ｉ＋５，ｊ＋４）、（ｉ＋５，ｊ＋２）、（ｉ＋４，ｊ＋１）の順で領域２を走査する。そして右側に隣接する領域２は、（ｉ＋６，ｊ＋１）、（ｉ＋５，ｊ＋２）、（ｉ＋５，ｊ＋４）、（ｉ＋６，ｊ＋５）、（ｉ＋８，ｊ＋５）、（ｉ＋９，ｊ＋４）、（ｉ＋９，ｊ＋２）、（ｉ＋８，ｊ＋１）の順で走査される。この隣接する２つの領域２では、（ｉ＋５，ｊ＋２）及び（ｉ＋５，ｊ＋４）のサーミスタ５０が共有されている。なお図３の中央の領域２では、全てのサーミスタ５０が４近傍の領域２と共有されている。
【００３７】
図１（ａ）に示す９個分の領域２は、１つの領域２が２５個の素領域２０から構成されるので、合計で２２５個の素領域２０によって構成されている。一方変形例のタッチパッド１は、隣接する領域２のサーミスタ５０を共有するので、１つの領域２が２５個の素領域２０から構成されるのは同じであるが合計で１６９個の素領域２０によって９個分の領域２を構成することができる。
【００３８】
つまりサーミスタ５０を共有しない場合と共有する場合とでは、９個分の領域２において、素領域２０を５６個分少なくすることができるので、タッチパッド１の体格を小さくすることができる。また変形例のタッチパッド１は、操作面１１の面積が同じでもサーミスタ５０をより多く配置することが可能となり、解像度が向上する。
【００３９】
（制御部７の構成）
制御部７は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部７が動作するためのプログラムと、差分しきい値７０と、が格納されている。ＲＡＭは、例えば、一時的に演算結果や温度変換値などを格納する記憶領域として用いられる。
【００４０】
差分しきい値７０は、一例として、サーミスタ５０から取得するセンサ信号Ｓを変換した温度変換値の最大値と最小値の差分と比較されるしきい値である。差分しきい値７０は、一例として、温度変換値が０〜１００までの値である場合、６０である。従って制御部７は、差分が６０以上である場合、操作指が接触したと判定する。
【００４１】
制御部７は、領域２に含まれる複数のサーミスタ５０との接続を切り替えて順番に走査してセンサ信号Ｓを取得するように構成されている。また制御部７は、一例として、図１（ａ）の紙面において左上から右方向、左中から右方向、左下から右方向の順番で領域２に含まれる複数のサーミスタ５０との接続を切り替えて一周期分の走査を行う。
【００４２】
具体的には、図２（ｂ）及び図２（ｃ）に示す（ｉ＋１，ｊ＋１）〜（ｉ＋５，ｊ＋５）の素領域２０から構成される領域２の場合、制御部７は、（ｉ＋２，ｊ＋１）、（ｉ＋１，ｊ＋２）、（ｉ＋１，ｊ＋４）、（ｉ＋２，ｊ＋５）、（ｉ＋４，ｊ＋５）、（ｉ＋５，ｊ＋４）、（ｉ＋５，ｊ＋２）、（ｉ＋４，ｊ＋１）の配置領域２２のサーミスタ５０との接続を順番に切り替える。そして制御部７は、例えば、センサ信号Ｓ（ｉ＋２）（ｊ＋１）〜センサ信号Ｓ（ｉ＋４）（ｊ＋１）を取得する。
【００４３】
制御部７は、このセンサ信号Ｓ（ｉ＋２）（ｊ＋１）〜センサ信号Ｓ（ｉ＋４）（ｊ＋１）を変換した温度変換値と差分しきい値７０とを比較して操作指９の接触の有無を判定すると共に接触位置を算出する。
【００４４】
なお変形例として順番は、図２（ｂ）及び図２（ｃ）の紙面において反時計回りに限定されず、時計回りなどでも良く、また始点と終点の配置領域２２も任意で良い。
【００４５】
図２（ａ）の場合、制御部７は、例えば、取得したセンサ信号Ｓ（ｉ＋２）（ｊ＋１）〜センサ信号Ｓ（ｉ＋４）（ｊ＋１）に基づく温度変換値の最大値と最小値が「１０」であり、この最大値と最小値の差分が差分しきい値７０よりも小さいので操作指の接触がないと判定する。
【００４６】
図２（ｂ）の場合、制御部７は、例えば、取得したセンサ信号Ｓ（ｉ＋２）（ｊ＋１）〜センサ信号Ｓ（ｉ＋４）（ｊ＋１）に基づく温度変換値のうち、最大値が「７０」であり、最小値が「１０」であるので差分が６０となり、差分しきい値７０以上であるので操作指９が接触していると判定する。
【００４７】
差分が差分しきい値７０より小さい場合は、例えば、操作指が接触していない、手の平全体で操作面１１を触っている、空調装置などの風による誤測定などが考えられる。制御部７は、領域２を上側領域２５〜右側領域２８に分けて温度変換値の最大値と最小値の差分を算出して判定するので、手の平全体で操作面１１を触っている場合や空調装置などの風などによる影響を抑制することができる。
【００４８】
制御部７は、操作指９を検出したと判定すると、接触位置の算出を行う。以下では、接触位置の算出方法の一例について説明する。
【００４９】
（接触位置の算出方法）
図４（ａ）〜図４（ｃ）は、実施の形態に係るタッチパッドの操作指の接触位置を算出する方法の一例を説明するための概略図である。
【００５０】
制御部７は、例えば、図４（ａ）〜図４（ｃ）に示すように、上側の領域と下側の領域のうち、いずれの領域に操作指が位置したか判定して第１の候補領域を設定し、さらに左側の領域と右側の領域のうち、いずれの領域に当該操作指が位置したか判定して第２の候補領域を設定し、第１の候補領域と第２の候補領域とが重なる重領域を当該操作指が接触した接触位置であると算出する。
【００５１】
まず制御部７は、上側の領域と下側の領域のうち、いずれの領域に操作指が位置したか判定して第１の候補領域を設定する。
【００５２】
具体的には、制御部７は、例えば、図４（ａ）に示すように、領域２を上側領域２５と下側領域２６とに分け、電気的ノイズの影響を小さくするため、この上側領域２５及び下側領域２６の温度変換値の平均値を算出する。図４（ａ）に示す上側領域２５の平均値は、２０である。また下側領域２６の平均値は、５０である。従って制御部７は、下側領域２６を第１の候補領域とする。なお上側領域２５と下側領域２６とは、領域２を上下に分割する一点鎖線を境界として定められる。
【００５３】
次に制御部７は、左側の領域と右側の領域のうち、いずれの領域に当該操作指が位置したか判定して第２の候補領域を設定する。
【００５４】
具体的には、制御部７は、例えば、図４（ｂ）に示すように、領域２を左側領域２７と右側領域２８とに分け、電気的ノイズの影響を小さくするため、この左側領域２７及び右側領域２８の温度変換値の平均値を算出する。図４（ｂ）に示す左側領域２７の平均値は、２５である。また右側領域２８の平均値は、４５である。従って制御部７は、右側領域２８を第２の候補領域とする。なお左側領域２７と右側領域２８とは、領域２を左右に分割する一点鎖線を境界として定められる。
【００５５】
次に制御部７は、第１の候補領域と第２の候補領域とが重なる重領域を当該操作指が接触した接触位置であると算出する。
【００５６】
具体的には、制御部７は、例えば、図４（ｃ）に示すように、第１の候補領域（下側領域２６）と第２の候補領域（右側領域２８）とが重なる重領域２９を操作指９が接触した接触位置であるとする。
【００５７】
操作対象の電子機器は、例えば、この重領域２９が表示装置に表示されたアイコンと対応している場合、タッチパッド１から出力された重領域２９に関する操作情報Ｓａによってアイコンの選択などが行われたことを判定することが可能となる。
【００５８】
なお接触位置の算出方法は、上述の方法に限定されず、加重平均などを用いても良い。
【００５９】
以下に本実施の形態のタッチパッド１の動作の一例について図５のフローチャートに従って説明する。
【００６０】
（動作）
タッチパッド１の制御部７は、走査対象の領域２に含まれる複数のサーミスタ５０との接続を切り替えながらセンサ信号Ｓを取得する（Ｓｔｅｐ１）。
【００６１】
制御部７は、取得したセンサ信号Ｓを温度変換値に変換すると共に、最大値と最小値の差分と差分しきい値７０とを比較し、走査対象の領域２において操作指が検出されたか否かを判定する。制御部７は、温度変換値の最大値と最小値との差分が差分しきい値７０以上である場合（Ｓｔｅｐ２：Ｙｅｓ）、つまり走査対象の領域２において操作指の接触が判定された場合、当該領域２の上側領域２５及び下側領域２６の平均値を算出し、平均値が大きい方の領域を第１の候補領域として設定する（Ｓｔｅｐ３）。
【００６２】
次に制御部７は、当該領域２の左側領域２７及び右側領域２８の平均値を算出し、平均値が大きい方の領域を第２の候補領域として設定する（Ｓｔｅｐ４）。
【００６３】
次に制御部７は、第１の候補領域と第２の候補領域が重なる重領域２９を操作指９の接触位置として算出する（Ｓｔｅｐ５）。
【００６４】
次に制御部７は、走査した領域２が今走査において最後の領域２であるか否か判定する。制御部７は、今周期の走査が終了した場合（Ｓｔｅｐ６：Ｙｅｓ）、算出された一周期分の接触領域に応じた操作情報Ｓａを生成して接続されている電子機器に出力する（Ｓｔｅｐ７）。続いて制御部７は、次の周期の走査を行うため、ステップ１に処理を進める。
【００６５】
ここでステップ２において制御部７は、温度変換値の最大値と最小値との差分が差分しきい値７０より小さい場合（Ｓｔｅｐ２：Ｎｏ）、ステップ１に処理を進めて次に走査対象となる領域の走査を行う。なお制御部７は、ステップ２の処理対象の領域２が今周期における最後の領域２であった場合、次の周期の走査を行う。
【００６６】
またステップ６において制御部７は、今周期の走査が終了していない場合（Ｓｔｅｐ６：Ｎｏ）、ステップ１に処理を進めて次に走査対象となる領域の走査を行う。
【００６７】
（実施の形態の効果）
本実施の形態に係るタッチパッド１は、電気的ノイズの影響を受け難い。具体的には、タッチパッド１は、温度に基づいて操作指の接触位置を算出するので、静電容量方式のタッチパッドのように電気的ノイズの影響を受け易い静電容量の検出に基づいて操作位置を算出する場合と比べて、電気的ノイズの影響を受け難い。従ってタッチパッド１は、電気的ノイズの影響を受け難いことから操作指の誤検出が抑制されるので、操作対象の電子機器の誤動作を抑制することができる。
【００６８】
タッチパッド１は、サーミスタ５０が離散的に並んでいるので、連続的に並んでいる場合と比べて、数が少なく、製造コストが削減される。またタッチパッド１は、サーミスタ５０が領域２の中央を囲むように離散的に並ぶので、この構成を採用しない場合と比べて、折り曲げ易く、パネル１０を曲面にしたり、平面と曲面の組み合わせにしたりするなどの意匠の自由度が高い。さらにタッチパッド１は、サーミスタ５０が離散的に並んでいるので、全面に配置される場合と比べて、キャリブレーションの時間を短くすることができる。
【００６９】
タッチパッド１は、領域２の中央を囲むようにサーミスタ５０が並ぶので、この構成を採用しない場合と比べて、上述の接触位置の算出が容易となる。またタッチパッド１は、操作面１１を複数の領域２に分割して領域２ごとに走査を行うので、全体を走査して接触位置を算出する場合と比べて、領域２ごとに接触位置が算出されて精度が高くなる。
【００７０】
タッチパッド１は、サーミスタ５０が挿入孔１２０に挿入されているので、この構成を採用しない場合と比べて、操作面１１に近くなり、精度の高い温度の測定ができる。
【００７１】
タッチパッド１は、領域２を上側領域２５〜右側領域２８に分けて温度変換値の最大値と最小値の差分を算出して判定するので、この構成を採用しない場合と比べて、手の平全体で操作面１１を触っている場合や空調装置などの風などによる影響を抑制することができる。
【００７２】
タッチパッド１は、上側領域２５及び下側領域２６の温度変換値の平均値、及び左側領域２７及び右側領域２８の平均値から接触位置である重領域２９を算出するので、この構成を採用しない場合と比べて、電気的ノイズの影響を小さくすることができる。
【００７３】
タッチパッド１は、サーミスタ５０を用いて検出を行うので、この構成を採用しない場合と比べて、操作面１１上の水などの液体やコインなどの金属などの異物に起因する誤検出を抑制することができる。
【００７４】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００７５】
１…タッチパッド、２…領域、４…基板、５…温度測定部、７…制御部、９…操作指、１０…パネル、１１…操作面、１２…裏面、２０…素領域、２１…空領域、２２…配置領域、２５…上側領域、２６…下側領域、２７…左側領域、２８…右側領域、２９…重領域、５０…サーミスタ、７０…差分しきい値、１２０…挿入孔
【図１】
2019091193.tif 000003
【図２】
2019091193.tif 000004
【図３】
2019091193.tif 000005
【図４】
2019091193.tif 000006
【図５】
2019091193.tif 000007